(57)【要約】【課題】  独立した２つの画像データ１，２を印刷できるインクジェットプリンタを提供すること。【解決手段】  本発明は、本実施の形態のインクジェットプリンタは、印刷の対象となる独立した２つの画像データ１，２を受け入れる入力部３と、入力部３で受け入れた独立した２つの画像データの内の第１の画像１から、三原色を構成する少なくとも３個のインクジェットノズル４，５，６からなる第１のインクジェット部７を駆動する第１のドライバ８と、入力部３で受け入れた独立した２つの画像データの内の第２の画像２から、三原色を構成する少なくとも３個のインクジェットノズル９，１０，１１からなる第２のインクジェット部１２を駆動する第２のドライバ１３と、第１のインクジェット部７と第２のインクジェット部１２とを一体的に支持し、印刷対象物１４に対して同時に相対移動させるインクジェット駆動部１５と、印刷対象物１４を前記インクジェット駆動部１５に対して保持する印刷対象物支持部１６とを備える。【選択図】図１
2010247506.tif 000002
【特許請求の範囲】
【請求項１】
印刷の対象となる独立した２つの画像データを受け入れる入力部と、
前記入力部で受け入れた前記独立した２つの画像データの内の第１の画像から、三原色を構成する少なくとも３個のインクジェットノズルからなる第１のインクジェット部を駆動する第１のドライバと、前記入力部で受け入れた前記独立した２つの画像データの内の第２の画像から、三原色を構成する少なくとも３個のインクジェットノズルからなる第２のインクジェット部を駆動する第２のドライバと、前記第１のインクジェット部と前記第２のインクジェット部とを一体的に支持し、印刷対象物に対して同時に相対移動させるインクジェット駆動部と、
前記印刷対象物を前記インクジェット駆動部に対して保持する印刷対象物支持部と、を備えた、独立した２画像を印刷可能なインクジェットプリンタ。
【請求項２】
前記第１のインクジェット部もしくは前記第２のインクジェット部の少なくとも一方の３個のインクジェットノズルには、減法混色を行うシアン色、マゼンダ色、イエロ色のインクがゼットされた、請求項１に記載のインクジェットプリンタ。
【請求項２】
前記第１のインクジェット部もしくは前記第２のインクジェット部の少なくとも一方の３個のインクジェットノズルには、紫外線反応発行インクによる異なる３色のインクがゼットされた、請求項１または２に記載のインクジェットプリンタ。
【発明の詳細な説明】
【技術分野】
【０００１】  本発明は、減色混合インクや発光インク又は特殊機能性インクを用い、独立した２画像を印刷可能なインクジェットプリンタに関する。より詳しくは、原図となる独立した２画像を印刷可能で、そのうち第１の画像では、暗室などの中において紫外光照射をおこなうと色再現できる紫外線反応型等の発光インクを用い、他の画像では減色混合インクを用い、独立した２画像を印刷可能なインクジエットプリンタに関する。
【背景技術】
【０００２】  近年のプリンタ技術の発達により、コンピュータ内に取り込まれたカラー画像を精度よく色再現してプリントアウトすることが可能となってきている。このため、カラーイラストのみならずカラー写真についても元となったデジタル画像をインクジェットプリンタなどのドットプリンタを用いて印刷媒体上に印刷できるようになってきている。【０００３】  紫外光励起による蛍光色材は粒度が大きく、従来、インクジェットで飛ばすことができず、蛍光色材を用いた画像は、従来、手描きで作られていた。しかしながら、近年の塗料技術の発達により、インクジェットで飛ばすことが可能な蛍光色材が開発されてきている（特許文献１及び２参照）。【０００４】  特許文献３及び４は、プリンタに赤色発光インク、緑色発光インク、青色発光インクを用いて印刷し、紫外線光照射下で色再現を行う技術を開示している。【０００５】
【特許文献１】  特開２００２−３６３４５５号公報
【特許文献２】  特開２００４−２９１５０８号公報
【特許文献３】  特開２００３−２１１７０９号公報
【特許文献４】  特開２００３−６３０９４号公報
【発明の開示】
【発明が解決しようとする課題】
【０００６】  一般的に、コンピュータ・モニタ中の「色」は光の三原色、赤色発光成分、緑色発光成分、青色発光成分で表現される。一方で、紙等の印刷媒体への色の表現は、色の三原色、シアン成分、マゼンダ成分、イエロ成分で行われる。この差異は、光を自ら発することで色を表現するか、外部からの光を反射させて色を表現するかの違いにより生じ、加法混色と減法混色の違いとなって現れる。
したがって、一般的に普及しているプリンタには、コンピュータ・モニタ中において光の三原色で表される色を、色の三原色で現わすための色変換を行うための色変換処理手段が組み込まれている。【０００７】  機能性インクの普及により印刷で出来る表現手法が多様化すると考えられる
たとえば感温変色インク（温度で色が変わる）やラメインク（キラキラと発色）や、反射インク（光の当り具合で反射する）やジェルインク（厚膜版を使用し、立体的で且つ艶を出す）や紫外線発光インク（紫外線に反応して発光するインク）など様々な機能性インクの開発がされて来ています。この機能性インクとは従来の特色インクと違います。特色インクとは基本のＣＭＹＫのインクプラス金や銀、パールなどＣＭＹＫでは表現しにくかった色を追加するための色を特色とします。
機能性インクとは上記のように様々な機能を持ったインクで基本としてＣＭＹＫやＲＧＢなどの原色を有するものとする。発光インクなどの場合は光の三原色から原色はＲＧＢになり、反射色であればＣＭＹＫが原色となる【０００８】同じ機能のインクならば２つの独立した画像を同時に１つの印刷媒体に印刷をしても意味を成さない。同じ機能インクならば２つの画像を重ねて１つの画像にして出力すればすんでしまう異なる機能性のインクを使用することに意味があります。
図１  １の画像を一般的なＣＭＹＫインクを用いて印字し２の画像を感温変色インクで印字すると１４の画像が完成する。
これは通常は１のように見える印刷物がある一定の温度になると２が追加されて１４の画像に変化するという効果が得られる【０００９】また違う機能性インキを用いて  図１  １の画像を一般的なＣＭＹＫインクを用いて印字し２の画像を紫外線発光インクを用いて印字すると  通常は１のように見える印刷物が暗闇で紫外線（ブラックライト）を照射すると２の印刷物に変わるなどの効果が得られる【００１０】従来の方法ではＣＭＹＫのプリンタを２台用意し異なるインクを搭載し２回プリントを行わなければならない、一度、通常インクを搭載したプリンタで印刷し次に特殊機能性インクを搭載したプリンタで印刷するしか方法はない。
図３の説明で明記しているようにモニタ１とモニタ２は１つの画像では表現できません。モニタ１もモニタ２もフルカラーの画像を使用するため１つにするとモニタ上で色が重複してしまい、どちらの画像をどちらのインクで出力するかの判断が出来なくなります。
よって２つの独立した画像を認識させるドライバが必要になります。【００１１】  今日において、一般的に普及したドットプリンタを用いて印刷技術は存在していない。本発明は上記実情を鑑みてなされたものであって、インクジェットプリンタを提供することを目的とする。
【課題を解決するための手段】
【００１２】  上記課題を解決するため、本発明のインクジェットプリンタは、印刷の対象となる独立した２つの画像データを受け入れる入力部と、入力部で受け入れた独立した２つの画像データの内の第１の画像から、三原色を構成する少なくとも３個のインクジェットノズルからなる第１のインクジェット部を駆動する第１のドライバと、入力部で受け入れた独立した２つの画像データの内の第２の画像から、三原色を構成する少なくとも３個のインクジェットノズルからなる第２のインクジェット部を駆動する第２のドライバと、第１のインクジェット部と第２のインクジェット部とを一体的に支持し、印刷対象物に対して同時に相対移動させるインクジェット駆動部と、印刷対象物を前記インクジェット駆動部に対して保持する印刷対象物支持部とを備える。【００１３】  上記課題を解決するために
使用するプリンタのヘッドノズルは最低６ヶ所以上必要になる。
色の元となる原色を２種類必要とするためである
たとえばＵＶ（紫外線）発光インクの場合光の三原色からＲＧＢ３色とＩＲ（赤外線）発光インクＲＧＢ３色を重ねる場合はヘッドノズルは６ヶ所あれば良い。
また、通常インクのＣＭＹＫとＵＶ（紫外線）発光インクのＲＧＢであればノズルは７ヶ所あれば良い。さらに、通常インクのＣＭＹＫと感温変色インクのＣＭＹＫであればノズルは８ヶ所必要とする。
色の原色から３色未満ではフルカラーを再現できませんので最低６ヶ所のヘッドノズルが必要になります。
３色未満で使用する場合は特色扱いになり基本のＣＭＹＫに足りない色を付け足すに過ぎない、この技術は一般的に現在でも使用されています。【００１４】図１から１の画像は通常のＣＭＹＫインクで出力をし、同一の印刷媒体にラメインクのＣＭＹＫインクで出力をすると１４が完成する。２の部分のみキラキラとラメが光る効果が得られる、１の画像の部分は通常のインクなので変化がない【００１５】  図２から１の画像は通常インクのＣＭＹＫで出力し、同一の印刷媒体に紫外線発光インクで出力すると１４が完成する。通常時は１のみの印刷物だが紫外線を照射することによって２の印刷が発光し３の印刷物に見える効果が得られる。【００１６】  図３から１の画像と２の画像を別々に認識するドライバ３があり異なる特性のインクを同一の印刷媒体上に印字している４がある同じく５の画像と６の画像を別々に認識するドライバ７があり異なる特性のインクを同一の印刷媒体上に印字している８がある。
上記のことから１と２又は５と６のように重なって印字しても良いし同一の印刷媒体上に任意の位置に印字することも可能とする。
【発明の効果】
【００１７】  本発明によれば、１度で２つの独立した画像を２種類の異なるインクで同一印刷媒体上に同時出力することが可能となる。【００１８】本発明によれば、従来２回に分けて印字しないと出来ない処理が１回で処理でき生産性、効率性を上げることができる。【００１９】本発明によれば、異なるインクをピンポイントで印字したい位置に印字することができる２回に分けて印字するとズレが生じるが、本発明は１度で印字するのでズレる心配がない。
【発明を実施するための最良の形態】
【００２０】    （実施の形態１）
本発明の一実施の形態を図１に示す。図１は、本発明の一実施の形態のインクジェットプリンタの構成説明図である。図２は、同インクジェットプリンタで印刷した画像の説明図である。
本実施の形態のインクジェットプリンタは、印刷の対象となる独立した２つの画像データ１，２を受け入れる入力部３と、入力部３で受け入れた独立した２つの画像データの内の第１の画像１から、三原色を構成する少なくとも３個のインクジェットノズル４，５，６からなる第１のインクジェット部７を駆動する第１のドライバ８と、入力部３で受け入れた独立した２つの画像データの内の第２の画像２から、三原色を構成する少なくとも３個のインクジェットノズル９，１０，１１からなる第２のインクジェット部１２を駆動する第２のドライバ１３と、第１のインクジェット部７と第２のインクジェット部１２とを一体的に支持し、印刷対象物１４に対して同時に相対移動させるインクジェット駆動部１５と、印刷対象物１４を前記インクジェット駆動部１５に対して保持する印刷対象物支持部１６とを備える。【００２１】  図１から、本来ドライバは１つの画像に対して制御信号をヘッドに送るものですがドライバ８とドライバ１３を１つのドライバとして２つの処理を行うドライバの開発により本発明を可能とする。【００２２】またヘッドに８ノズル搭載するプリンタは本来ＣＭＹＫとＬＫ、ＬＬＫ、ＬＣ、ＬＭ又はＣＭＹＫとＣ’Ｍ’Ｙ’Ｋ’などに分かれています。
従ってドライバの開発とは別にヘッドノズルを制御するリップソフトでそれぞれの独立した画像データを片方はＣＭＹＫもう片方はＣ’Ｍ’Ｙ’Ｋ’と制御しても良い【００２３】  図２に示す例においては、インクカートリッジ（１００）において、シアン色のインクが収容されていた区画に対応するインクカートリッジ（１０１）の区画には、青色発光インクが収容され、インクカートリッジ（１００）において、マゼンダ色のインクが収容されていた区画に対応するインクカートリッジ（１０１）の区画には、赤色発光インクが収容され、インクカートリッジ（１００）において、イエロ色のインクが収容されていた区画に対応するインクカートリッジ（１０１）の区画には、緑色発光インクが収容されている。
【産業上の利用可能性】
【００２４】  本発明は、機能性インクの特性に応じて変化をもたらし印刷表現の変化する効果をもたらす。感温変色インクであれば温度によって印刷物が変化するなど【００２５】  本発明は、紫外光下で用いられる印刷物、室内装飾印刷物、テーブルクロス等の印刷に好適に使用可能である。
【図面の簡単な説明】
【００２６】
【図１】  本発明の実施の形態１に係る印刷方法のフローチャートである。
【図２】  本発明の実施の形態１に係る印刷方法のインクセット工程の一実施形態を示す図である。
【図３】  本発明の実施形態１に係る印刷方法の実施形態を示す図である。
【図１】
2010247506.tif 000003
【図２】
2010247506.tif 000004
【図３】
2010247506.tif 000005
【手続補正書】
【提出日】平成21年6月9日(2009.6.9)
【手続補正２】
【補正対象書類名】特許請求の範囲
【補正対象項目名】全文
【補正方法】変更
【補正の内容】
【特許請求の範囲】
【請求項１】
印刷の対象となる独立した２つの画像データを受け入れる入力部と、  前記入力部で受け入れた前記独立した２つの画像データの内の第１の画像から、三原色を構成する少なくとも３個のインクジェットノズルからなる第１のインクジェット部を駆動する第１のドライバと、  前記入力部で受け入れた前記独立した２つの画像データの内の第２の画像から、三原色を構成する少なくとも３個のインクジェットノズルからなる第２のインクジェット部を駆動する第２のドライバと、  前記第１のインクジェット部と前記第２のインクジェット部とを一体的に支持し、印刷対象物に対して同時に相対移動させるインクジェット駆動部と、  前記印刷対象物を前記インクジェット駆動部に対して保持する印刷対象物支持部と、を備えた、独立した２画像を印刷可能なインクジェットプリンタ。
【請求項２】
前記第１のインクジェット部もしくは前記第２のインクジェット部の少なくとも一方の３個のインクジェットノズルには、減法混色を行うシアン色、マゼンダ色、イエロ色のインクがセットされた、請求項１に記載のインクジェットプリンタ。
【請求項３】
前記第１のインクジェット部もしくは前記第２のインクジェット部の少なくとも一方の３個のインクジェットノズルには、紫外線反応発光インクによる異なる３色のインクがセットされた、請求項１または２に記載のインクジェットプリンタ。